(57)【要約】光増幅機構において、基板内に、増幅しようとする各光波に対して増幅アセンブリを備え、該増幅アセンブリは、増幅しようとする光波Ｓを受けることのできる第１マイクロ導波管（７）と、ポンピング波Ｌを受け取ることのできる第２マイクロ導波管（９）と、第１と第２マイクロ導波管に関連し、光波Ｓと光波Ｌから成る光を提供することができる多重化機器（１１）と、多重化機器の出力に接続されて、光波Ｓを、ポンピング波Ｌを少なくとも部分的に吸収することによって増幅し、出力上に提供することができる増幅機器（１３）と、増幅機器の出力に接続されて、増幅された光波Ｓを運ぶことができる第３マイクロ導波管（１５）と、第３マイクロ導波管に関連し、増幅された光波Ｓからのポンピング波Ｌを逆多重化することができ、第４マイクロ導波管（１７）上にポンピング光波を除いた増幅済み光波Ｓを出力することができる逆多重化機器（１９）とから成る。
2004526317.tif 000002
【特許請求の範囲】
【請求項１】
少なくとも一つの光波Ｓを増幅することのできる光増幅機構において、該機構は、増幅しようとする各光波に対して、基板内に増幅アセンブリを備え、該増幅アセンブリは、
−増幅しようとする光波Ｓを受け取ることのできる、第１マイクロ導波管（７）と、
−ポンピング波Ｌを受け取ることのできる、第２マイクロ導波管（９）と、
−第１と第２マイクロ導波管に関連し、光波Ｓと光波Ｌから成る光波を提供することができる多重化機器（１１）と、
−多重化機器の出力に接続されて、ポンピング波Ｌを少なくとも部分的に吸収することによって光波Ｓを増幅することができ、増幅された光波Ｓを出力上に提供することができる増幅機器（１３）と、
−増幅機器の出力に接続されて、増幅された光波Ｓを運ぶことができる第３マイクロ導波管（１５）と、
−第３マイクロ導波管に関連し、増幅された光波Ｓからのポンピング波Ｌを逆多重化することができ、出力として第４マイクロ導波管（１７）上にポンピング光波を除いた増幅済み光波Ｓを提供することができる逆多重化機器（１９）と
から成っており、
前記基板は、受動的と呼ばれる第１の部分と、能動的と呼ばれる第２の部分とから成り、第１，第２，第３，第４のマイクロ導波管と多重化機器と逆多重化機器は、また受動的部分の中にあり、一方増幅機器は、能動的部分の中にあることを特徴とする増幅機構。
【請求項２】
前記多重化機器は、多重化器と結合器から選ばれることを特徴とする請求項１記載の増幅機構。
【請求項３】
前記逆多重化機器は、逆多重化器と結合器から選ばれることを特徴とする請求項１記載の増幅機構。
【請求項４】
前記多重化機器（１１）は、光波Ｓのみが第１マイクロ導波管から第２マイクロ導波管へ通過するのに十分な距離と十分な長さとによって互いに分離される、第１と第２のマイクロ導波管（９，７）の一部から形成されることを特徴とする請求項１記載の増幅機構。
【請求項５】
前記逆多重化機器（１９）は、光波Ｓが第４マイクロ導波管（１７）の中へ進み、ポンピング波Ｌが第３マイクロ導波管（１５）の中に残るのに十分な距離と十分な長さとによって、互いに分離される第３と第４のマイクロ導波管（１５と１７）の一部から形成されることを特徴とする請求項１記載の増幅機構。
【請求項６】
前記増幅機器は、光波Ｓを増幅することのできるマイクロ導波管を備えていることを特徴とする請求項１記載の増幅機構。
【請求項７】
前記増幅機器のマイクロ導波管は、一巻きあるいは二巻き以上の螺旋を形成していることを特徴とする請求項６記載の増幅機構。
【請求項８】
前記螺旋は、複数の巻き数であり、決して交差しないように巻き上げられていることを特徴とする請求項７記載の増幅機構。
【請求項９】
前記増幅アセンブリは、さらに、第１マイクロ導波管に関連した、光波Ｓの一部のための第１標本抽出機器（２１）、および／または、第４マイクロ導波管に関連した、光波Ｓの一部のための第２標本抽出機器（２３）とを備えることを特徴とする請求項１記載の増幅機構。
【請求項１０】
前記第１標本抽出機器および／または第２標本抽出機器は、非対称の結合器あるいは非対称のＹ接合部から選ばれることを特徴とする請求項９記載の増幅機構。
【請求項１１】
前記受動的部分は、ケイ酸塩ガラスであり、前記能動的部分は、ドープ処理されたリン酸塩ガラスであることを特徴とする請求項１から１０のいずれか一つに記載の増幅機構。
【請求項１２】
前記増幅機器は、出力を多重化機器の出力と同じ側に置くことが可能な形状をしていることを特徴とする請求項１から１１のいずれか一つに記載の増幅機構。
【請求項１３】
複数の光波Ｓｊを増幅することのできる増幅機構において、ｊは１からｍの間であり、前記増幅機構は、請求項１から１２のいずれか一つによる、少なくともｍ個の増幅アセンブリを備えていることを特徴とする増幅機構。
【請求項１４】
前記アセンブリは、同じ基板上に形成され、かつ交互に挟み込まれることを特徴とする請求項１０記載の増幅機構。
【請求項１５】
各アセンブリの前記増幅機器は、螺旋状のマイクロ導波管から作られ、前記機構のｍ個の螺旋状のマイクロ導波管は、ｍ個のマイクロ導波管を持った一つの螺旋を作ることを特徴とする請求項１３記載の増幅機構。
【請求項１６】
増幅装置であって、該増幅装置は、
前記請求項１から１５のいずれか一つによる増幅機構（３０）と前記機構に関連する部品とを集めており、光波Ｓに対する各増幅アセンブリに関連する部品の組は、
−第１マイクロ導波管に光学的に接続されて、増幅しようとする光波Ｓを運ぶことができる第１光ファイバー（３１）と、
−第４マイクロ導波管に光学的に接続されて、増幅しようとする光波Ｓを運ぶことができる第２光ファイバー（３３）と、
−第２マイクロ導波管に光学的に接続される、ポンピング波Ｌの発信源（３５）と
を備えることを特徴とする増幅装置。
【請求項１７】
前記部品の組は、さらに、第１標本抽出機器に光学的に接続される、光波Ｓのための第１処理機器（３７）、および／または、第２標本抽出機器に光学的に接続される、光波Ｓのための第２処理機器（３９）とを備えることを特徴とする請求項１６記載の増幅装置。
【請求項１８】
各処置機器は、１本のファイバーと少なくとも一つの石突きとを備えた光学的及び機械的接続手段によって、対応する標本抽出機器に接続されることを特徴とする請求項１７記載の増幅装置。
【請求項１９】
ポンピング波発信源は、１本のファイバーと少なくとも一つの石突きとを備えた光学的及び機械的接続手段によって、第２マイクロ導波管に接続されることを特徴とする請求項１６記載の増幅装置。
【請求項２０】
前記第１ファイバーと第２ファイバーは、石突きとＶブロックから選ばれた接続手段によって、第１マイクロ導波管および第４マイクロ導波管に、それぞれ接続されることを特徴とする請求項１６記載の増幅装置。
【請求項２１】
前記第２ファイバーの接続手段は、さらに、光学的絶縁物を備えていることを特徴とする請求項２０記載の増幅装置。
【発明の詳細な説明】
【技術分野】
【０００１】
本発明は、光集積回路内に提供される光増幅機構と、そのような構造を集積した増幅装置とに関するものである。
【０００２】
本発明は、光波の増幅を必要とする全ての分野、および特に、光ファイバーによる光通信の分野に応用可能である。
【背景技術】
【０００３】
図１は、光集積回路内で提供される、従来の増幅機構の原理を示す図である。
【０００４】
光波を増幅するために、光集積回路内に現在提供される光増幅機構は、光導波管が形成される二つの部分を備えている。
【０００５】
光導波管は、一般にコアと呼ばれる中央部と、コアの全周に置かれて互いに同じもしくは異なる周囲の媒介物とから成る。
【０００６】
光をコアの中に制限するために、コア媒介物の屈折率は、周囲の媒介物と異なり、多くの場合それよりも大きい。導波管は、光が一つの平面内に限られる時は平面導波管、光が横方向に限られる時はマイクロ導波管であって良い。
【０００７】
説明を簡単にするために、導波管は、中央部とコアとして考える。さらに、周囲の媒介物の全て或いは一部は“基板”と呼び、導波管が全く埋められないか一部が埋められるときに、周囲の媒介物の一つは基板の外にあり、例えば空気であって良いと考える。
【０００８】
使用される技術の種類によって、基板は、単層でも多層でも良い。
【０００９】
さらに、応用分野によっては、基板の光導波管は多かれ少なかれ、この基板に埋められ、特に、深さが可変のところに導波管の埋められた部分を備えている。これは、特に、ガラスの中でイオン交換する技術に使われる。
【００１０】
図１で参照番号１で示される増幅機構の第１の部分は、一方では増幅すべき光波Ｓの出力Ｐｅを入力として受け取り、他方では通常レーザー光源から来るポンピング波（pumping wave）Ｌを受け取る。光波ＳとＬは、それぞれ結合器３へと、２つのマイクロ導波管５と４で運ばれる。結合器３は、マイクロ導波管５と４によって具現化されるが、これは、光波Ｓが波Ｌを運ぶマイクロ導波管４へと入射させられるような距離だけ離れている。結合器３の出力において、マイクロ導波管のみが残り、その後、光波ＳとＬを運ぶ。第１の部分は、二つの光波を結合するする役目を持っているだけである。
【００１１】
図１の参照番号２で示される、増幅機構の第２の部分は、マイクロ導波管６への入力として、第１の部分の結合された光波ＳとＬを受け取る。第２の部分は、ポンピング波Ｌに基づいて、最初の出力Ｐｅの光波Ｓを増幅する目的を持っている。この第２の部分における増幅は、マイクロ導波管６の中で生み出される。マイクロ導波管６の出力における光波Ｓは、その後、出力Ｐｅよりも大きな出力Ｐｓを持つ。
【００１２】
ガラスの中でイオン交換する技術において、第１の部分は、例えば、ケイ酸塩であり、第２の部分は、例えば、エルビウムでドープ処理された（doped）リン酸塩ガラスである。これらの２つの部分は、一般的に、互いに接着される。
【発明の開示】
【発明が解決しようとする課題】
【００１３】
しかし、これらの増幅機構の出力は、単独で、増幅した光波Ｓを運ぶことはしない。実際、マイクロ導波管６の出力において、表れた光波には、常にポンピング波Ｌの残留成分が含まれる。マイクロ導波管６の中で減衰するけれど、残留成分は、増幅機構を発した光波を受け取る部品やシステムを劣化させることができる。
【課題を解決するための手段】
【００１４】
本発明は、目的として、光集積回路内に提供される光増幅機構を持つが、以下に示す機器の制限および困難さは持っていない。
【００１５】
本発明の目的は、特に、ポンピング波による摂動にできるだけ影響されないで、増幅した光波を得るために、光波を増幅した後にポンピング波を最大限放出できるような増幅機構を提供することである。
【００１６】
本発明の他の目的は、ポンピング波のこの放出を、増幅機構の余りとして同じ基板上に形成された光集積回路手段によって提供し、完全に集積されてその結果小型となった増幅機構を得ることである。
【００１７】
本発明の他の目的は、この増幅機構を集積して増幅装置を作り、小型で内蔵型の増幅システムを提供することができるようにすることである。
【００１８】
さらに詳細に述べると、本発明の増幅機構によって、少なくとも一つの光波Ｓを増幅することができ、基板内に、増幅すべき各光波ごとに増幅アセンブリを具備していて、該増幅アセンブリは、
−増幅すべき光波Ｓを受け取ることのできる第１のマイクロ導波管と、
−ポンピング波Ｌを受け取ることのできる第２のマイクロ導波管と、
−第１マイクロ導波管と第２マイクロ導波管とに関連し、光波Ｓと光波Ｌとから成る光波を提供することのできる多重化機器と、
−多重化機器の出力に接続されて、少なくともポンピング波Ｌを部分的に吸収することで光波Ｓを増幅することができ、増幅された光波Ｓを一つの出力において提供することができる増幅機器と、
−増幅機器の出力に接続されて、増幅された光波Ｓを運ぶことのできる第３のマイクロ導波管と、
−第３のマイクロ導波管に関連しており、増幅された光波Ｓからポンピング波Ｌを逆多重化することができ、出力として第４のマイクロ導波管上に増幅された光波Ｓをポンピング波を除いたものを提供することができる逆多重化機器と
を備え、
前記基板は、受動的と呼ばれる第１の部分と、能動的と呼ばれる第２の部分とから成り、第１，第２，第３，第４のマイクロ導波管と多重化機器と逆多重化機器は、また受動的部分の中にあり、一方増幅機器は、同期部分の中にあることを特徴とする。
【００１９】
“受動的部分”は、光波を増幅することのできない媒介物を意味し、反対に、
“動的部分”は、光波を増幅することのできる媒介物を意味している。
【００２０】
その一つは受動的であり他は能動的である、２つの異なった部分を持った基板として用いることにより、光集積回路内に提供すべき増幅機構の全ての機能が可能となっており、一方、もしこれらの機能が全部が能動的な基板のように均質な基板内で提供されると、多重化のようなある種の受動的な機能は、良好な光学的性能提供することができなかった。
【００２１】
前記機能を集積させるためには、増幅機器の形状は、出力を多重化機器の出力と同じ側に置くことができるのが適している。特に、増幅機器は、増幅した光波を受動的部分に戻ることができるように、輪あるいは螺旋を形成する。
【００２２】
“ポンピング波を除くこと”は、ポンピング波の全て或いは一部を除くことを意味している。増幅された光波Ｓが、増幅機構の出力としてのポンピング波の残留成分との関連が少ないほど、機構の特性は良好になる。
【００２３】
光波Ｓは、例えば、ｉが１からｎまでの整数であるところの、複数の波長λｉと同様に一つの波長であって良い。通信の特定の分野において、光波は、情報を運ぶことができる。
【００２４】
ポンピング波は、同様に、例えば、ｐが１からｎまでの整数であるところの、複数の波長λｐと同様に一つの波長であって良く、増幅機器が光波Ｓの出力を増幅するように、エネルギーを機構の中へ持ち込む。
【００２５】
本発明の実施形態によると、ガラス内のイオン交換技術において、例えば第１の部分は、ケイ酸塩ガラスであり、第２の部分は、エルビウムでドープ処理されたリン酸塩ガラスである。これらの二つの部分は、互いに接着されるか共通の支持材上を運ばれるが、全ての場合、それらは同質ではないが単一な基板を形成する。
【００２６】
本発明の増幅機構の別の部品が前記基板上に好ましくは同じ技術でもって提供され、それによって提供し易い機構が可能になり、この機構の部品は、適切なマスクを使用することで、同時に或いは擬似的に同時に提供することができる。
【００２７】
他の実施形態によると、第１の部分は、シリコン上のシリカからなり、第２の部分は、ドープ処理されたリン酸塩ガラスからなっている。
【００２８】
多重化機器の一実施形態によると、これは、多重化器と結合器とから選ばれる。
【００２９】
逆多重化機器の一実施形態によると、これは、逆多重化器と結合器とから選ばれる。
【００３０】
増幅機器の一実施形態によると、これは、ポンピング波Ｌを少なくとも一部を吸収することによって、光波Ｓを増幅することのできるマイクロ導波管によって形成される。このため、マイクロ導波管は、一般的には、少なくともマイクロ導波管のコアを適切にドープ処理することを含んでいる。
【００３１】
増幅機構のマイクロ導波管が長ければ長いほど、増幅は大きくなる。良好な増幅性能を有する、できるだけ小型の増幅機構を持つことで、マイクロ導波管は、１巻きから数巻きの螺旋を形成するのが好ましい。
【００３２】
巻き数が幾つであれ、決して交差しないように巻かれるのが好ましい。
【００３３】
他の実施形態によると、増幅アセンブリは、第１のマイクロ導波管に関連した光波Ｓの一部を標本抽出するための第１の機器、および／または、第４のマイクロ導波管に関連した光波Ｓの一部を標本抽出するための第２の機器をさらに備えて、これらの標本抽出の機器は、それぞれ処理機器に接続することが可能である。第１の標本抽出の機器によって、本発明の機構の中に入れられる光波Ｓの少ない割合を引き抜くことができ、第２の標本抽出の機器によって、増幅された光波Ｓの少ない割合を引き抜くことができる。これらの標本抽出された割合の光波は、例えば、出力検出器および／または制御システムなどの処理機器へと送られる。
【００３４】
一例として、要素（例えば、光ダイオード）を測定し監視する出力信号を使用することができ、またもし必要ならば、ポンピング出力を、例えば電子フィードバック制御によって調整することができる。
【００３５】
第１と第２の標本抽出機器は、増幅機構の残りと同じ基板上の光集積回路内に提供されるのが好ましい。
【００３６】
第１および／または第２の標本抽出機器は、例えば、非対称の結合器あるいは非対称のＹ接合部のような分岐用部品によって提供されて、光信号のほんのわずか（例えば、１％）を標本抽出することができる。
【００３７】
本発明の増幅機構が複数の光波Ｓｊ（ｊは１からｍの整数）を増幅するものであるなら、本機構は、前述したようなｍ個の増幅アセンブリを備えており、これらのアセンブリは、同じ基板上に提供され、小型の構成を取るために他の中へと挟まれる。
【００３８】
特に、各アセンブリの増幅機器が、螺旋型マイクロ導波管によって作られるなら、本機構のｍ個のマイクロ導波管は、ｍ個のマイクロ導波管を持つ一つの螺旋を形成する。
【００３９】
一実施形態によると、本発明の機構の増幅機器は、能動的な部分と呼ばれる基板の部分の中に作られ、本機構の他の要素は、受動的な部分と呼ばれる基板の部分の中に作られる。
【００４０】
本発明は、同様に、前述したような本発明の光集積回路内の増幅機構と、この機構に関連する部品とをまとめた増幅装置に関し、これによってこの装置は、小型で内蔵型にすることが可能な増幅システムを提供することができる。
【００４１】
光波Ｓを増幅する各アセンブリにとって、関連する部品の組は、
−第１マイクロ導波管に光学的に接続され、増幅する光波Ｓを運ぶことができる第１光ファイバーと、
−第４マイクロ導波管に接続され、増幅された光波Ｓを運ぶことができる第２光ファイバーと、
−第２マイクロ導波管に光学的に接続される、ポンピング波の送信源Ｐと
を備える。
【００４２】
有利なことに、この部品の組は、さらに、存在する時に第１標本抽出機器に光学的に接続される第１光波Ｓ処理機器、および／または、存在する時に第２標本抽出機器に光学的に接続される第２光波Ｓ処理機器を備える。
【００４３】
光学的接続は、各処理機器と対応する標本抽出機器の間で直接に行われ、この場合、処理機器は、例えば接着によって増幅機構の基板に直接取り付けられる。この取り付けは、また、例えば、石突きのような機械的要素によって２つの機器の間で保持されるファイバーによって間接的にも作ることができる。
【００４４】
同様に、ポンピング波送信源と第２マイクロ導波管の間の光学的接続は、例えば送信源から送信源への接着により直接的か、あるいは例えば送信辺と機構との間で石突きのような機械的要素によって保持されるファイバーによって間接的である。
【００４５】
一実施形態によると、第１と第２のファイバーは、それぞれ第１と第４のマイクロ導波管に、石突きあるいはＶブロックから選ばれた接続手段によって接続される。
【００４６】
第２ファイバーの接続手段は、さらに、光信号に摂動を起こし雑音を引き起こす反射を防ぐことのできる、光学的絶縁物を備えている。
【００４７】
本発明の他の特徴及び利点は、以下の記載から、より明らかになるであろう。この記載は、説明によって、制限無しに与えられる実施形態に関連している。さらに、添付する図面を参照する。
【発明を実施するための最良の形態】
【００４８】
図２は、本発明による、増幅すべき光波Ｓに対する増幅機構を示した図である。この図において、本機構が提供される基板の一部分が、マイクロ導波管内部の光波の異なる方向の伝搬を含んだ平面に沿って示されており、ここで使用された技術によって、これらの方向は、もちろん必ずしも実際に唯一の平面に含まれるものでは無いことは理解されたい。
【００４９】
この図に示される増幅機構によって、一つの光波Ｓを増幅することができ、そして、基板５の中に単一の増幅アセンブリを備える。このアセンブリは、
−増幅しようとする光波Ｓを受け取ることのできる、第１マイクロ導波管７と、
−ポンピング波Ｌを受け取ることのできる、第２マイクロ導波管９と、
−第１と第２マイクロ導波管に関連し、光波Ｓと光波Ｌから成る光波を提供することができる多重化機器１１と、
−多重化機器の出力に接続されて、光波Ｓを増幅することができ、増幅された光波Ｓを出力上に提供することができる増幅機器１３と、
−増幅機器の出力に接続されて、増幅された光波Ｓを運ぶことができる第３マイクロ導波管１５と、
−第３マイクロ導波管に関連し、増幅された光波Ｓからのポンピング波Ｌを逆多重化することができ、第４マイクロ導波管上にポンピング光波を除いた増幅済み光波Ｓを提供することができる逆多重化機器１９と
からなっている。
【００５０】
一般的に、光波Ｓの波長λｉ（通常、１５３０ｎｍと１５６０ｎｍの間から成る）が何であれ、λｉは、ポンピング波の波長λｐ（通常、９８０ｎｍ（±５ｎｍ）に近い）よりも常に大きい。
【００５１】
これゆえに、光波Ｓの伝搬モードに関連する束の間の光波は、所定の導波管の特徴に対するポンピング波よりも大きな、横方向の侵入距離（penetration distance）を持っている。
【００５２】
本発明のこの実施形態の結合器１１と結合器１９は、この特性を用いて、光波Ｓと光波Ｌのそれぞれ多重化と逆多重化を、光集積回路内で生み出す。
【００５３】
こうして、結合器１１は、マイクロ導波管９と７の一部分によって具現され、マイクロ導波管９と７は、前記部分において導波管７から導波管９まで光波Ｓを転送するのに十分な距離ｄａと十分な長さとによって相互に分離され、光波Ｌは、結合器内で伝搬を変更されることはない。距離ｄａは、導波管９の中の光波Ｌの束の間の部分の、横方向の侵入距離よりも大きく、導波管７の中の光波Ｓの束の間の部分の、横方向の侵入距離よりも小さくあるべきで、その結果、光波Ｓは、妥当な長さ（例えば、数ｍｍ）に渡って転送することができる。この図の例の中の結合器１１の出力において、増幅機器１３に接続され、かつその中で光波ＳとＬが集められているマイクロ導波管９のみが残る。
【００５４】
同様に、結合器１９は、マイクロ導波管１５と１７の一部から作られ、マイクロ導波管１５と１７は、前記部分において、増幅機器から来て、かつ増幅された光波Ｓとポンピング波Ｌの残余を備えた光波が、マイクロ導波管１５内に残るポンピング波Ｌからマイクロ導波管１７の中へ進む光波Ｓを逆多重化するのに十分な距離ｄｂと十分な長さとによって互いに分離される。この距離ｄｂは、光波Ｌが導波管１５の中へと進む一過性の部分の横方向の侵入距離よりも大きく、光波Ｓが導波管１５の中へと進む一過性の部分の横方向の侵入距離よりも小さくなければならず、その結果、光波Ｓは、妥当な長さに渡って転送することができる。この図の例の中の結合器１９の出力において、マイクロ導波管１７のみが残る。
【００５５】
図２に示される増幅機器１３は、螺旋状マイクロ導波管で作られる。マイクロ導波管の螺旋が長いほど、機器の増幅性能は良くなる。機器の巻き数は、その機器が形成されている基板の寸法に依るが、またマイクロ導波管の長さにも依る。
【００５６】
有利なことに、本機構は、マイクロ導波管７に導かれる光波Ｓの一部のための標本抽出用機器２１を備えている。
【００５７】
同様に、本機構は、またマイクロ導波管１９によって運ばれる、増幅された光波Ｓの一部のための標本抽出用機器２３を備えている。これらの標本抽出用機器２１，２３は、この例では、Ｙ接合部を形成するために、マイクロ導波管７と１７にそれぞれ接続されるマイクロ導波管によって作られる。マイクロ導波管７と１７によって運ばれる光波のほんのわずかだけを標本抽出するために、マイクロ導波管２１，２３は、例えば、マイクロ導波管７と１７よりも小さな断面である。
【００５８】
これらの標本抽出用機器は、また、標本抽出が小さいので相互作用の長さが短い結合器によって使用される。
【００５９】
これらの標本抽出用機器２１と２３によって標本抽出される光波は、それぞれｄ１とｄ２と参照され、また、処理され、続く光波Ｓの入力と光波Ｓの出力とを持たされ、そしておそらくこれら入出力の調節を生み出すために、本機構の出力部に置くことができる。
【００６０】
この例において、増幅機器１３は、第２の部分Ｂあるいは能動的な部分と呼ばれる基板の一部において形成され、基板の他の要素は、第１の部分Ａあるいは受動的な部分と呼ばれる基板の他の部分で形成される。ガラス内のイオン交換の技術において、第１の部分は、ケイ酸塩ガラスであり、第２の部分は、リン酸塩ガラスである。これら二つの部分は、互いに接着されるか、共通の支持部に取り付けられるが、全ての場合、これら二つの部分はが単一の基板を形成する。
【００６１】
図３は、増幅すべき複数の光波に対する、本発明による増幅機構を示している。この例では、４つの光波Ｓ１，Ｓ２，Ｓ３，Ｓ４が示される。
【００６２】
この機構は、こうして、同じ基板上に提供され、相互に挟まれて小型の機構を形成する、４つの増幅アセンブリを備えている。各アセンブリは、その中へ、増幅すべき光波Ｓｊが入れらるマイクロ導波管（７）ｊと、その中へポンピング波Ｌｊが導かれるマイクロ導波管（９）ｊと、これら２つの光波をまとめるための結合器（１１）ｊと、光波Ｓｊを増幅する増幅機器（１３）ｊと、増幅された光波Ｓｊを受け取るマイクロ導波管（１５）ｊと、ポンピング波の増幅された光波を除くための逆多重化器（１９）ｊと、増幅され除かれた光波Ｓｊを取り戻すためのマイクロ導波管（１７）ｊと共に示される。この例では、ｊは、１から４まで変化する。
【００６３】
特に、この例において、本機構の４つの増幅機器が互いに螺旋形になり、その結果、基板の能動的な部分Ｂ内に４つのマイクロ導波管で螺旋を形成することが分かるであろう。他の要素は、基板の受動的な部分Ａ内に形成される。
【００６４】
別のポンピング波Ｌｊは、例えば、レーザー光ダイオードの行列あるいは線形配列から引き出される。
【００６５】
図４は、本発明による増幅装置を示している。この装置は、増幅機構を本発明の光集積回路内に集めてあり、それを構成する要素の詳細は一切無い参照番号３０と、この機構に関連する部品で示される。説明を簡略化するために、この例において、装置内に集積された本機構は、単一の増幅アセンブリのみを持っているが、勿論、複数のアセンブリを持った機構を同様に集積することができると考える。
【００６６】
本例の機構に関連した部品の組は、
−機構３０のマイクロ導波管７に光学的に接続されて、増幅しようとする光波Ｓを運ぶことができる光ファイバー３１と、
−機構３０のマイクロ導波管１７に光学的に接続されて、増幅された光波Ｓを運ぶことができる光ファイバー３３と、
−機構３０のマイクロ導波管９に光学的に接続される、ポンピング波Ｌの発信源３５と、
−機構の標本抽出用機器２１に光学的に接続された、増幅しようとする光波Ｓから標本抽出した光波ｄ１のための処理機器３７と、
−機構の標本抽出用機器２３に光学的に接続された、増幅された光波Ｓから標本抽出した光波ｄ２のための処理機器３９と
を備えている。
【００６７】
処理機器と、一方は発信源と、他方は機構との間の光学的接続は、機械的接続例えば接着で直接に行うことができ、それはこれら部品と増幅機構３０との各々の間で行われる。この光学的接続は、また、本図で示すように、例えば部品と石突きによる機構の間で保持されるファイバーのような機械的および光学的な要素４５，４７，４９を介して、間接的に形成することもできる。
【００６８】
ファイバー３１と３３は、それぞれ同様に、例えば石突き４１と４３によって、機構に接続することができる。
【図面の簡単な説明】
【００６９】
【図１】既述したように、既知の増幅機構を示した図である。
【図２】本発明の、増幅しようとする光波Ｓに対する増幅機構を示した図である。
【図３】本発明の、増幅しようとする複数の光波に対する増幅機構を示した図である。
【図４】本発明の増幅機構と関連する部品を集積した装置を示した図である。
【符号の説明】
【００７０】
５…基板
７…第１マイクロ導波管
９…第２マイクロ導波管
１１…多重化機器
１３…増幅機器
１５…第３マイクロ導波管
１７…第４マイクロ導波管
１９…逆多重化機器
２１，２３…標本抽出用機器
【国際公開パンフレット】
2004526317.tif 000003
2004526317.tif 000004
2004526317.tif 000005
2004526317.tif 000006
2004526317.tif 000007
2004526317.tif 000008
2004526317.tif 000009
2004526317.tif 000010
2004526317.tif 000011
2004526317.tif 000012
2004526317.tif 000013
2004526317.tif 000014
2004526317.tif 000015
2004526317.tif 000016
2004526317.tif 000017
2004526317.tif 000018
2004526317.tif 000019
2004526317.tif 000020
2004526317.tif 000021
2004526317.tif 000022
2004526317.tif 000023
2004526317.tif 000024
2004526317.tif 000025
2004526317.tif 000026
2004526317.tif 000027
2004526317.tif 000028
2004526317.tif 000029
2004526317.tif 000030
2004526317.tif 000031
【国際公開パンフレット（コレクトバージョン）】
2004526317.tif 000032
2004526317.tif 000033
【国際調査報告】
2004526317.tif 000034
2004526317.tif 000035
2004526317.tif 000036
2004526317.tif 000037
2004526317.tif 000038
2004526317.tif 000039